(57)【要約】【課題】一層の部品点数の軽減やコスト低減を図ることを可能にする鍵盤装置を提供すること。【解決手段】鍵盤装置１００は、下限クッション部材１５と鍵操作に応じた鍵の回動動作を可能にする薄肉折り曲げ部４０（鍵回動用部材）とを同一の鍵盤シャーシ５０に設けたので、鍵盤装置短手方向の幅程度の大きな部材であるため底板が不要となり、部品点数の軽減やコスト低減を図ることが可能となる。しかも、薄肉折り曲げ部５０は鍵盤装置１００の長手方向に延在していて、総ての鍵に対して一体的に薄肉折り曲げ部５０が形成されているので、鍵毎に鍵回動用の軸やこの軸を設けるための部材が不要になると共に、組立て工数の低減を図ることが可能になる。【選択図】図１
2011090229.tif 000002
【特許請求の範囲】
【請求項１】
鍵を押鍵することによりハンマー先端部が持ち上がる一方、離鍵することによりハンマー先端部が定位置に戻すハンマー回動機構と、このハンマーの上限及び下限の位置を規制して当接衝撃を吸収する上下のクッション部材と、鍵操作に応じた鍵の回動動作を可能にする鍵回動用部材とを有する鍵盤装置において、
前記下側のクッション部材と前記鍵回動用部材とを同一の鍵盤シャーシに設けたことを特徴とする鍵盤装置。
【請求項２】
請求項１に記載の鍵盤装置において、
前記鍵回動用部材は、
前記鍵の先端部に、薄肉で折り曲げ可能な部材を設けて構成したことを特徴とする鍵盤装置。
【発明の詳細な説明】
【技術分野】
【０００１】
本発明は、電子鍵盤楽器等に用いられる鍵盤装置の改良に関する。
【背景技術】
【０００２】
従来から部品点数を少なくする工夫が施された鍵盤装置が提案されていた。例えば、鍵盤シャーシ上に鍵がその後部を鍵盤シャーシに揺動可能に支持されて設けられると共に鍵下にハンマーが鍵盤シャーシに揺動可能に支持されて設けられ、鍵盤シャーシに回路基板が取り付けられた装置において、鍵盤シャーシを、鍵ガイド部を有するとともにリブ板を有する前部シャーシと、鍵支持部、ハンマー支持部及び回路基板取り付け部を有するとともにリブ板を後部シャーシと、前部シャーシと後部シャーシとの間に設けられた弾性変形可能な中間シャーシとを樹脂によって一体成形して構成した鍵盤装置があった（例えば、特許文献１参照。）。また、図２に示すものも従来の鍵盤装置の断面構造図である。この鍵盤装置によれば、白鍵１（符号２は黒鍵）を押鍵すると、下限クッション部材１５に載置され、ハンマー支持軸１３によってその先端部が回動可能に支持されたハンマー１０が持ち上げられ、押鍵しきると上限クッション部材１２にハンマー１０の先端部が当接する。そして、白鍵１の押下操作によって、押下部材３が、基板支持部材２５に支持された基板１４に固定されたゴム接点１６を押圧することによって当該押鍵に対応する楽音が発生される。そして、下限クッション部材１５が固定され、その下面に１つのゴム脚９が設けられた下カバー５と、その下面にもう一方のゴム脚９が設けられた鍵盤シャーシ４とが２つのビス６、６で互いに結合された構成となっている。更に、白鍵１の先端部には軸７を備える軸用突起部８が設けられ、白鍵１の押鍵操作による上下方向での移動が可能となっているが、これも鍵盤シャーシ４に設けられている。
【先行技術文献】
【特許文献】
【０００３】
【特許文献１】特開２０００−５６７６６号公報（第３−５頁、第２図）
【発明の概要】
【発明が解決しようとする課題】
【０００４】
確かに、上述した第１の従来装置にあっては、樹脂製の鍵盤シャーシに鍵ガイド部、鍵支持部、ハンマー支持部等を一体成形しているため、部品点数を少なくすることができるものであった。しかし、いずれの鍵盤装置にあっても、鍵盤装置の底板（図２では下カバー５）を取り付けなければならず、この底板は鍵盤装置の短手方向の幅程度の大きな部材であるため、部品点数の軽減やコスト低減は十分なものではなかった。更に、従来の鍵盤装置等にあっては、白鍵１を鍵毎に取り付ける必要があり、図２のように、軸７を備える軸用突起部８を鍵毎に設ける必要もあった。
【０００５】
本発明は、かかる従来の課題を解決するためになされたもので、一層の部品点数の軽減やコスト低減を図ることを可能にする鍵盤装置を提供することを目的とする。
【課題を解決するための手段】
【０００６】
上記目的を達成するために、本発明は、鍵を押鍵することによりハンマー先端部が持ち上がる一方、離鍵することによりハンマー先端部が定位置に戻すハンマー回動機構と、このハンマーの上限及び下限の位置を規制して当接衝撃を吸収する上下のクッション部材と、鍵操作に応じた鍵の回動動作を可能にする鍵回動用部材とを有する鍵盤装置において、
前記下側のクッション部材と前記鍵回動用部材とを同一の鍵盤シャーシに設けたことを特徴とするようにした。
【０００７】
本発明によれば、下側のクッション部材と鍵操作に応じた鍵の回動動作を可能にする鍵回動用部材とを同一の鍵盤シャーシに設けたので、鍵盤装置の短手方向の幅程度の大きな部材である底板が不要となり、部品点数の軽減やコスト低減を図ることが可能となる。
【０００８】
また、前記鍵回動用部材を、鍵の先端部に、薄肉で折り曲げ可能な部材を設けた構成とすれば、鍵毎に鍵回動用の軸やこの軸を設けるための部材が不要になると共に、組立て工数の低減を図ることが可能になる。
【発明の効果】
【０００９】
本発明によれば、一層の部品点数の軽減やコスト低減を図ることを可能にする鍵盤装置を実現することができるという効果が得られる。
【図面の簡単な説明】
【００１０】
【図１】鍵盤装置１００の断面構造の説明図である。
【図２】従来の鍵盤装置の断面構造の説明図である。
【図３】鍵盤装置１００の鍵盤部の斜視的外観の説明図である。
【発明を実施するための形態】
【００１１】
以下、本発明を実施の形態について図面を参照しつつ説明する。図３は鍵盤装置１００の鍵盤部の斜視図であり、図１は図３のＸ−Ｘ断面構造を示す断面図である。なお、図３においては５個の白鍵１と３個の黒鍵２とを有する鍵盤部を示しているが実際には８８鍵程度の鍵数がある。また、図３においては、図面左から２番目の白鍵１を押鍵した状態を示している。
【００１２】
鍵盤装置１００は、一体に成形された鍵盤シャーシ５０を有していてこれが鍵盤装置１００全体の下面になっている。鍵盤シャーシ５０の下面には本装置を置いた時の安定性を図るためのゴム脚９が装置の前後方向に２個設けられている。鍵盤シャーシ５０の前方（図面右側）側の上面には、ハンマー１０の先端部の下方の動きを規制し、持ち上げられたハンマー１０の先端部が定位置に戻った際の衝撃を吸収するための下限クッション部材１５が設けられている。この下限クッション部材１５はフェルト材等を貼り付けることによって構成されている。また、鍵盤シャーシ５０の表面には、２つのボス２０、２０が立設されていて、図面右側のボス２０には、断面クランク状のクッション取付用シャーシ３５が載置固定され、このクッション取付用シャーシ３５の下面には、ハンマー１０の先端部の上方への動きを規制し、持ち上げられたハンマー１０の先端部が当接しても衝撃を吸収するための上限クッション部材１２が設けられている。この上限クッション部材１２も、フェルト材等を貼り付けることによって構成されている。
【００１３】
また、もう１個のボス２０は基板１４を載置支持しており、この基板１４にはゴム接点１６が固定されている。そして、白鍵１の裏面に設けられた押下部材３が、白鍵１の押下操作に応じて、このゴム接点１６を押下することによって不図示の音源から当該白鍵１の押鍵操作に応じた楽音が発生される構成になっている。そして、この白鍵１の先端には、薄肉（所定厚さ）で折り曲げ可能な薄肉折り曲げ部４０を有して、この薄肉折り曲げ部４０に連続する先端部は鍵盤シャーシ５０の前方の大形山状部の最上面部に固定されている。なお、この図では１個の鍵のみしか図示していないが、薄肉折り曲げ部５０は、鍵盤装置１００の長手方向（図面手前側から奥への方向）に延在していて、総ての鍵に対して一体的に薄肉折り曲げ部４０が形成されている。かくして、鍵毎に鍵回動用の軸やこの軸を設けるための部材が不要になると共に、組立て工数の低減を図ることが可能になる。
【００１４】
そして、鍵盤シャーシ５０の下面略中央部には、バカ孔である鍵盤シャーシ開口部５１が形成されていて、その上部が適宜の位置に固定されたサポートシャーシ取付部材２２の下部には、この鍵盤シャーシ開口部位５１を閉塞するための鉄板等でなるサポートシャーシ３０が取り付けられている。また、その一端側が屈曲しているハンマー１０を貫通させるためのバカ孔としてのハンマー用開口部２１、５２が形成されている。ハンマー１０の一端にはゴム部材４５が固着され、このゴム部材４５は、白鍵１の下面から垂下した部材から水平方向に適宜の間隔で設けられた部材４６ａ、４６ｂによって挟まれている。そして、ハンマー１０の先端部（ゴム部材４５を固着した側と反対側）は、鍵盤シャーシ５０における、鍵盤シャーシ開口部５１に対向する位置に設けられたハンマー支持軸１３を回動支点として、白鍵１の押鍵により持ち上がる一方、離鍵操作に応じて下方に下がる。このように、押鍵、離鍵操作に応じてハンマー１０の先端部は回動動作を行う。
【００１５】
図１は離鍵状態を示す図であり、これがハンマー１０の先端部の定位置になり、この状態においてはハンマー１０の先端部は下限クッション部材１５の上面に載置されている。そして、白鍵１を押鍵すると、ハンマー１０の先端部は反時計方向に持ち上がり、先端部は最終的に上限クッション部材１２に当接して衝撃吸収される。押鍵状態から離鍵状態になると、ハンマー１０の先端部は時計方向に下降して最終的に下限クッション部材１５に当接してその当接衝撃は吸収されることになる。かくして、電子鍵盤楽器にこの鍵盤装置１００を応用すれば、押鍵時の慣性モーメントを増加させた電子鍵盤楽器を実現することが可能になる。
【００１６】
以上説明してきたように、本実施形態の鍵盤装置１００によれば、下限クッション部材１５（下側のクッション部材）と鍵操作に応じた鍵の回動動作を可能にする薄肉折り曲げ部４０（鍵回動用部材）とを同一の鍵盤シャーシ５０に設けたので、鍵盤装置の短手方向の幅程度の大きな部材であるため底板（下カバー）が不要となり、部品点数の軽減やコスト低減を一層図ることが可能となる。
【産業上の利用可能性】
【００１７】
以上説明してきたように、本発明は電子鍵盤楽器等の鍵盤装置に利用することができる。
【符号の説明】
【００１８】
１  白鍵
３  押下部材
１０  ハンマー
１２  上限クッション部材
１３  ハンマー支持軸
１４  基板
１５  下限折り曲げ部材
１６  ゴム接点
９  ゴム脚
２０  ボス
２２  サポートシャーシ取付部材
３０  サポートシャーシ
４０  薄肉折り曲げ部
４５  ゴム部材
５０  鍵盤シャーシ
５１  鍵盤シャーシ開口部
１００  鍵盤装置
【図１】
2011090229.tif 000003
【図２】
2011090229.tif 000004
【図３】
2011090229.tif 000005